(57)【特許請求の範囲】
【請求項１】
主検出トリップ指令と故障検出トリップ指令との論理を条件に電力系統の保護区間に属する遮断器をトリップするトリップ手段に接続されて主検出閉路信号に応答して前記トリップ手段に主検出トリップ指令を出力する主検出トリップ指令出力手段と、前記トリップ手段に接続されて故障検出閉路信号に応答して前記トリップ手段に故障検出トリップ指令を出力する故障検出トリップ指令出力手段とを点検対象として、
主検出点検指令により主検出点検起動信号を出力する主検出点検起動信号出力手段と、前記主検出点検起動信号を受けこの主検出点検起動信号の出力を第１の設定時間遅延させる主検出点検起動信号遅延手段と、故障検出点検指令により故障検出点検起動信号を出力する故障検出点検起動信号出力手段と、前記故障検出点検起動信号を受けこの故障検出点検起動信号の出力を第２の設定時間遅延させる故障検出点検起動信号遅延手段と、前記主検出点検起動信号に応答して前記故障検出点検起動信号出力手段と前記故障検出点検起動信号遅延手段に第１のリセット信号を与えて信号の出力を強制的に停止する故障検出リセット手段と、前記故障検出点検起動信号に応答して前記主検出点検起動信号出力手段と前記主検出起動信号遅延手段に第２のリセット信号を与えて信号の出力を強制的に停止する主検出リセット手段と、前記主検出点検起動信号遅延手段の出力による主検出点検起動信号を入力し前記故障点検起動信号の発生がないことを条件に前記入力信号を主検出閉路信号として前記主検出トリップ指令出力手段に出力する主検出閉路手段と、前記故障検出点検起動信号遅延手段の出力による故障検出点検起動信号を入力し前記主検出点検起動信号の発生がないことを条件に前記入力信号を故障検出閉路信号として前記故障検出トリップ指令出力手段に出力する故障検出閉路手段とを備えてなる自動点検装置。
【請求項２】
請求項１記載の自動点検装置において、前記主検出点検起動信号に応答して故障検出点検ロック信号の出力を開始し前記主検出点検起動信号遅延手段から主検出点検起動信号の出力が停止された後も第３の設定時間の間は前記故障検出点検ロック信号を継続して出力する故障検出点検ロック信号出力手段と、前記故障検出点検起動信号に応答して主検出点検ロック信号の出力を開始し前記故障検出点検起動信号遅延手段から故障検出点検起動信号の出力が停止された後も第４の設定時間の間は前記主検出点検ロック信号を継続して出力する主検出点検ロック信号出力手段とを備え、前記主検出閉路手段は、前記主検出点検起動信号遅延手段の出力による主検出点検起動信号を入力し前記主検出点検ロック信号出力手段から主検出点検ロック信号の出力がないことを条件に前記入力信号を主検出閉路信号として出力してなり、前記故障検出閉路手段は、前記故障検出点検起動信号遅延手段の出力による故障検出点検起動信号を入力し前記故障検出点検ロック信号出力手段から故障検出点検ロック信号の出力がないことを条件に前記入力信号を故障検出閉路信号として出力してなることを特徴とする自動点検装置。
【請求項３】
電力系統の保護区間で故障が発生したときに主故障検出信号を出力する主故障検出信号出力手段と、前記保護区間および前記保護区間以外の電力系統で故障が発生したときに補助故障検出信号を出力する補助故障検出信号出力手段と、主検出点検指令により主検出点検起動信号を出力する主検出点検起動信号出力手段と、前記主検出点検起動信号を受けこの主検出点検起動信号の出力を第１の設定時間遅延させる主検出点検起動信号遅延手段と、故障検出点検指令により故障検出点検起動信号を出力する故障検出点検起動信号出力手段と、前記故障検出点検起動信号を受けこの故障検出点検起動信号の出力を第２の設定時間遅延させる故障検出点検起動信号遅延手段と、前記主検出点検起動信号に応答して前記故障検出点検起動信号出力手段と前記故障検出点検起動信号遅延手段に第１のリセット信号を与えて信号の出力を強制的に停止する故障検出リセット手段と、前記故障検出点検起動信号に応答して前記主検出点検起動信号出力手段と前記主検出起動信号遅延手段に第２のリセット信号を与えて信号の出力を強制的に停止する主検出リセット手段と、前記主検出点検起動信号遅延手段の出力による主検出点検起動信号または前記主故障検出信号を入力し前記故障検出点検起動信号の発生がないことを条件に前記いずれかの入力信号を主検出閉路信号として出力する主検出閉路手段と、前記故障検出点検起動信号遅延手段の出力による故障検出点検起動信号または前記補助故障検出信号を入力し前記主検出点検起動信号の発生がないことを条件に前記いずれかの入力信号を故障検出閉路信号として出力する故障検出閉路手段と、前記主検出閉路信号に応答して主検出トリップ指令を出力する主検出トリップ指令出力手段と、前記故障検出閉路信号に応答して故障検出トリップ指令を出力する故障検出トリップ指令出力手段と、前記主検出トリップ指令と前記故障検出トリップ指令との論理積を条件に前記保護区間に属する遮断器をトリップするトリップ手段とを備えてなる保護継電装置。
【請求項４】
請求項3記載の保護継電装置において、前記主検出点検起動信号に応答して故障検出点検ロック信号の出力を開始し前記主検出点検起動信号遅延手段から主検出点検起動信号の出力が停止された後も第３の設定時間の間は前記故障検出点検ロック信号を継続して出力する故障検出点検ロック信号出力手段と、前記故障検出点検起動信号に応答して主検出点検ロック信号の出力を開始し前記故障検出点検起動信号遅延手段から故障検出点検起動信号の出力が停止された後も第４の設定時間の間は前記主検出点検ロック信号を継続して出力する主検出点検ロック信号出力手段とを備え、前記主検出閉路手段は、前記主検出点検起動信号遅延手段の出力による主検出点検起動信号または前記主故障検出信号を入力し前記主検出点検ロック信号出力手段から主検出点検ロック信号の出力がないことを条件に前記いずれかの入力信号を主検出閉路信号として出力してなり、前記故障検出閉路手段は、前記故障検出点検起動信号遅延手段の出力による故障検出点検起動信号または前補助故障検出信号を入力し前記故障検出点検ロック信号出力手段から故障検出点検ロック信号の出力がないことを条件に前記いずれかの入力信号を故障検出閉路信号として出力してなることを特徴とする保護継電装置。
【発明の詳細な説明】
【０００１】
【発明の属する技術分野】
本発明は、自動点検装置と保護継電装置に係り、特に、電力系統に故障が発生したときに、保護範囲内の遮断器に対して主検出トリップ指令を出力するリレーと故障検出トリップ指令を出力するリレーの状態を自動点検するに好適な自動点検装置及びこの自動点検装置を内蔵した保護継電装置に関する。
【０００２】
【従来の技術】
電力系統においては、電力系統に地絡故障等が発生したときに、保護範囲内の遮断器をトリップし、地絡故障等から系統を保護する保護継電装置が設けられている。この種の保護継電装置において、保護範囲（保護区間）内の遮断器をトリップするに際しては、常時開状態にある一対のリレー接点（主検出トリップ指令出力用リレー接点と故障検出トリップ指令出力用リレー接点）を直列に接続し、直列に接続されたリレー接点の一方を遮断器のトリップ回路に接続し、電力系統の保護区間で地絡故障等が発生したときに一方のリレー接点を閉じ、電力系統の保護区間及びそれ以外の区間で地絡故障等が発生したときに他方のリレー接点を閉じ、両方のリレー接点が閉じたことを条件にトリップ回路を駆動し、トリップ回路の駆動により遮断器をトリップする構成が採用されている。
【０００３】
一方、この種の保護継電装置において、各リレー接点の動作を点検するに際しては、各リレー接点を動作させてリレー接点の動作状態を点検することが行なわれている。この場合、点検時に、両者のリレー接点が同時に閉じると遮断器がトリップされ、系統の故障によらず点検によって遮断器がトリップされることになる。そこで、リレー接点の点検時に遮断器が不要にトリップされるのを防止するために、各リレー接点と直列に、トリップロック回路を構成するリレー接点を挿入し、通常の運用時にはトリップロック回路用のリレー接点を閉じた状態とし、点検時にのみトリップロック回路用のリレー接点を開き、自動点検時に不要に遮断器がトリップされるのを防止する構成が採用されている。
【０００４】
しかし、主検出トリップ指令出力用リレー接点と故障検出トリップ指令出力用リレー接点と直列にトリップロック回路を挿入する構成では、トリップロック回路が増えた分回路構成が複雑となる。すなわち、電力系統の保護区間内に地絡故障等が発生したときに主検出トリップ指令出力用のリレー接点の動作を制御する主検出ユニットによってトリップロック回路を制御するには、トリップロック回路を遮断器ごとに必ず設ける必要がある。特に、母線保護のように、トリップ回路を電気所の全ての遮断器に設けることが余儀なくされる場合、トリップロック回路を全ての遮断器に設けることが必要となり、回路構成が複雑となるとともに、遮断器の数によってはトリップロック回路を実装できないことがある。
【０００５】
そこで、特開昭５６−５８７２１号公報に記載されているように、トリップロック回路を設けることなく、一対のリレー接点の動作状態を自動的に点検することができる自動点検方式が提案されている。この自動点検方式によれば、一方のリレー要素に対する点検時には、他方のリレー要素に対する自動点検をロックするようになっている。
【０００６】
【発明が解決しようとする課題】
従来技術では、二つのリレー要素に対して誤って同時に点検指令が出力されたときについて十分に配慮されていない。
【０００７】
本発明の目的は、複数のトリップ指令出力手段に対して点検指令が重複した時間帯に出力されても一方のトリップ指令出力手段に対してのみ点検を行なうことができる自動点検装置と保護継電装置を提供することにある。
【０００８】
【課題を解決するための手段】
前記目的を達成するために、本発明は、主検出トリップ指令と故障検出トリップ指令との論理を条件に電力系統の保護区間に属する遮断器をトリップするトリップ手段に接続されて主検出閉路信号に応答して前記トリップ手段に主検出トリップ指令を出力する主検出トリップ指令出力手段と、前記トリップ手段に接続されて故障検出閉路信号に応答して前記トリップ手段に故障検出トリップ指令を出力する故障検出トリップ指令出力手段とを点検対象として、
主検出点検指令により主検出点検起動信号を出力する主検出点検起動信号出力手段と、前記主検出点検起動信号を受けこの主検出点検起動信号の出力を第１の設定時間遅延させる主検出点検起動信号遅延手段と、故障検出点検指令により故障検出点検起動信号を出力する故障検出点検起動信号出力手段と、前記故障検出点検起動信号を受けこの故障検出点検起動信号の出力を第２の設定時間遅延させる故障検出点検起動信号遅延手段と、前記主検出点検起動信号に応答して前記故障検出点検起動信号出力手段と前記故障検出点検起動信号遅延手段に第１のリセット信号を与えて信号の出力を強制的に停止する故障検出リセット手段と、前記故障検出点検起動信号に応答して前記主検出点検起動信号出力手段と前記主検出起動信号遅延手段に第２のリセット信号を与えて信号の出力を強制的に停止する主検出リセット手段と、前記主検出点検起動信号遅延手段の出力による主検出点検起動信号を入力し前記故障点検起動信号の発生がないことを条件に前記入力信号を主検出閉路信号として前記主検出トリップ指令出力手段に出力する主検出閉路手段と、前記故障検出点検起動信号遅延手段の出力による故障検出点検起動信号を入力し前記主検出点検起動信号の発生がないことを条件に前記入力信号を故障検出閉路信号として前記故障検出トリップ指令出力手段に出力する故障検出閉路手段とを備えてなる自動点検装置を構成したものである。
【０００９】
前記自動点検装置を構成するに際しては、以下の要素を付加することができる。
【００１０】
（１）前記主検出点検起動信号に応答して故障検出点検ロック信号の出力を開始し前記主検出点検起動信号遅延手段から主検出点検起動信号の出力が停止された後も第３の設定時間の間は前記故障検出点検ロック信号を継続して出力する故障検出点検ロック信号出力手段と、前記故障検出点検起動信号に応答して主検出点検ロック信号の出力を開始し前記故障検出点検起動信号遅延手段から故障検出点検起動信号の出力が停止された後も第４の設定時間の間は前記主検出点検ロック信号を継続して出力する主検出点検ロック信号出力手段とを備え、前記主検出閉路手段は、前記主検出点検起動信号遅延手段の出力による主検出点検起動信号を入力し前記主検出点検ロック信号出力手段から主検出点検ロック信号の出力がないことを条件に前記入力信号を主検出閉路信号として出力してなり、前記故障検出閉路手段は、前記故障検出点検起動信号遅延手段の出力による故障検出点検起動信号を入力し前記故障検出点検ロック信号出力手段から故障検出点検ロック信号の出力がないことを条件に前記入力信号を故障検出閉路信号として出力してなる。
【００１１】
また、本発明は、電力系統の保護区間で故障が発生したときに主故障検出信号を出力する主故障検出信号出力手段と、前記保護区間および前記保護区間以外の電力系統で故障が発生したときに補助故障検出信号を出力する補助故障検出信号出力手段と、主検出点検指令により主検出点検起動信号を出力する主検出点検起動信号出力手段と、前記主検出点検起動信号を受けこの主検出点検起動信号の出力を第１の設定時間遅延させる主検出点検起動信号遅延手段と、故障検出点検指令により故障検出点検起動信号を出力する故障検出点検起動信号出力手段と、前記故障検出点検起動信号を受けこの故障検出点検起動信号の出力を第２の設定時間遅延させる故障検出点検起動信号遅延手段と、前記主検出点検起動信号に応答して前記故障検出点検起動信号出力手段と前記故障検出点検起動信号遅延手段に第１のリセット信号を与えて信号の出力を強制的に停止する故障検出リセット手段と、前記故障検出点検起動信号に応答して前記主検出点検起動信号出力手段と前記主検出起動信号遅延手段に第２のリセット信号を与えて信号の出力を強制的に停止する主検出リセット手段と、前記主検出点検起動信号遅延手段の出力による主検出点検起動信号または前記主故障検出信号を入力し前記故障検出点検起動信号の発生がないことを条件に前記いずれかの入力信号を主検出閉路信号として出力する主検出閉路手段と、前記故障検出点検起動信号遅延手段の出力による故障検出点検起動信号または前記補助故障検出信号を入力し前記主検出点検起動信号の発生がないことを条件に前記いずれかの入力信号を故障検出閉路信号として出力する故障検出閉路手段と、前記主検出閉路信号に応答して主検出トリップ指令を出力する主検出トリップ指令出力手段と、前記故障検出閉路信号に応答して故障検出トリップ指令を出力する故障検出トリップ指令出力手段と、前記主検出トリップ指令と前記故障検出トリップ指令との論理積を条件に前記保護区間に属する遮断器をトリップするトリップ手段とを備えてなる保護継電装置を構成したものである。
【００１２】
前記保護継電装置を構成するに際しては、以下の要素を付加することができる。
【００１３】
（１）前記主検出点検起動信号に応答して故障検出点検ロック信号の出力を開始し前記主検出点検起動信号遅延手段から主検出点検起動信号の出力が停止された後も第３の設定時間の間は前記故障検出点検ロック信号を継続して出力する故障検出点検ロック信号出力手段と、前記故障検出点検起動信号に応答して主検出点検ロック信号の出力を開始し前記故障検出点検起動信号遅延手段から故障検出点検起動信号の出力が停止された後も第４の設定時間の間は前記主検出点検ロック信号を継続して出力する主検出点検ロック信号出力手段とを備え、前記主検出閉路手段は、前記主検出点検起動信号遅延手段の出力による主検出点検起動信号または前記主故障検出信号を入力し前記主検出点検ロック信号出力手段から主検出点検ロック信号の出力がないことを条件に前記いずれかの入力信号を主検出閉路信号として出力してなり、前記故障検出閉路手段は、前記故障検出点検起動信号遅延手段の出力による故障検出点検起動信号または前補助故障検出信号を入力し前記故障検出点検ロック信号出力手段から故障検出点検ロック信号の出力がないことを条件に前記いずれかの入力信号を故障検出閉路信号として出力してなる。
【００１４】
前記した手段によれば、主検出点検指令が出力されたときには、この指令に応答して主検出点検起動信号が出力され、この主検出点検起動信号により故障検出点検起動信号出力手段と故障検出点検起動信号遅延手段に対して第１のリセット信号が与えられて信号の出力が強制的に停止され、その後、故障検出点検起動信号の発生がないことを条件に主検出点検起動信号が主検出閉路信号として主検出トリップ指令出力手段に出力され、主出力トリップ指令出力手段に対する点検が行なわれる。一方、故障検出点検指令が出力されたときには、この故障検出点検指令により故障検出点検起動信号が出力され、この故障検出点検起動信号により主検出点検起動信号出力手段と主検出点検起動信号遅延手段に対して第２のリセット信号が与えられて信号の出力が強制的に停止され、その後、主検出点検起動信号の発生がないことを条件に、故障検出点検起動信号が故障検出閉路信号として故障検出トリップ指令出力手段に出力され、故障検出トリップ指令出力手段に対する点検が実施される。この結果、主検出点検指令と故障検出点検指令の発生時間帯が重複した場合でも、一方の起動信号の出力がリセットされるため、主検出トリップ指令出力手段と故障検出トリップ指令出力手段に対して同時に自動点検が行なわれるのを防止することができる。
【００１５】
さらに、主検出閉路手段が主検出点検起動信号を入力したときに、主検出点検ロック信号の出力がないことを条件に入力信号を主検出閉路信号として出力し、一方、故障検出閉路手段が故障検出点検起動信号を入力したときには、故障検出点検ロック信号の出力がないことを条件に入力信号を故障検出閉路信号として出力しているため、点検終了後、主検出トリップ指令出力手段または故障検出トリップ指令出力手段の復帰時に、主検出トリップ指令出力手段と故障検出トリップ指令出力手段が同時に動作するのを防止することができる。
【００１６】
【発明の実施の形態】
以下、本発明の一実施形態を図面に基づいて説明する。図１は自動点検装置を含む保護継電装置の全体構成図である。図１において、保護継電装置は、主検出ユニット１０、故障検出ユニット１２、リレー接点ＭＸ１、ＭＸ２、ＭＸ３、……、ＭＸｎ、リレー接点ＦＤＸ１、ＦＤＸ２、ＦＤＸ３、……、ＦＤＸｎ、遮断器ＣＢ１、ＣＢ２、ＣＢ３、……、ＣＢｎを備えて構成されており、各遮断器ＣＢ１〜ＣＢｎが電力系統の保護区間（保護範囲）内に配置されている。
【００１７】
主検出ユニット１０は、メモリ１４、主故障検出回路１６、主検出点検起動回路１８、ＯＲゲート２０、ＡＮＤゲート２２、タイマ２４、２６、ＯＲゲート２８、ＡＮＤゲート３０を備えて構成されており、ＡＮＤゲート３０の出力側がリレー接点ＭＸ１〜ＭＸｎを駆動するリレー回路（図示省略）に接続されている。故障検出ユニット１２は、メモリ３２、補助故障検出回路３４、故障検出点検起動回路３６、ＯＲゲート３８、ＡＮＤゲート４０、タイマ４２、４４、ＯＲゲート４６、ＡＮＤゲート４８を備えて構成されており、ＡＮＤゲート４８の出力側がリレー接点ＦＤＸ１〜ＦＤＸｎを駆動するリレー回路（図示省略）に接続されている。
【００１８】
主検出ユニット１０のメモリ１４には、主検出ユニット１０の動作を制御するための主検出プログラムが内蔵されており、主検出ユニット１０は、主検出プログラムにしたがって各部の動作を制御するように構成されている。主故障検出回路１６は、電力系統の保護区間で地絡故障等が発生したときに主故障検出信号を出力する主故障検出信号出力手段として構成されており、地絡故障等が発生したときには、“１"レベルの主故障検出信号をＯＲゲート２０、２８に出力するようになっている。主検出点検起動回路１８は、メモリ１４に内蔵された主検出プログラムに従って主検出点検指令が出力されたときに、この主検出点検指令により“１"レベルの主検出点検起動信号をＯＲゲート２０、ＡＮＤゲート２２、タイマ２６に出力する主検出点検起動信号出力手段として構成されている。ＯＲゲート２０は、主故障検出回路１６または主検出点検起動回路１８から“１"の信号が出力されたときに、“１"の信号を第１のリセット信号として、故障検出ユニット１２の故障検出点検起動回路３６とＡＮＤゲート４０に出力し、故障検出点検起動回路３６、ＡＮＤゲート４０から“１"の信号が出力されるのを強制的に停止するようになっている。すなわち、ＯＲゲート２０、ＡＮＤゲート４０は故障検出リセット手段として構成されている。ＡＮＤゲート２２は、故障検出ユニット１２から“１"レベルの第２のリセット信号が入力されないことを条件に、主検出点検起動回路１８の出力による主検出点検起動信号をタイマ２４に出力するようになっている。タイマ２４は、オンディレイタイマとして、図２（ａ）に示すように、ＡＮＤゲート２２から出力される“１"レベルの主検出点検起動信号を第１の設定時間ｔだけ遅延させる主検出点検起動信号遅延手段として構成されており、時間ｔだけ遅延された主検出点検起動信号がＯＲゲート２８に入力されるようになっている。タイマ２６は、オフディレイタイマとして、主検出点検起動回路１８の出力による主検出点検起動信号に応答して、“１"レベルの故障検出点検ロック信号の出力を開始し、主検出点検起動回路１８から“１"レベルの主検出点検起動信号の出力が停止された後も、第３の設定時間ｔ'の間は“１"レベルの故障検出点検ロック信号をＡＮＤゲート４８に対して継続して出力する故障検出点検ロック信号出力手段として構成されている。ＯＲゲート２８は、主故障検出回路１６またはタイマ２４から“１"の信号が出力されたときに、“１"レベルの信号をＡＮＤゲート３０に出力するようになっている。ＡＮＤゲート３０は、ＯＲゲート２８から“１"レベルの信号が入力されたときに、故障検出ユニット１２から“１"レベルの主検出点検ロック信号が入力されないことを条件に、“１"レベルの信号を主検出閉路信号としてリレー接点ＭＸ１〜ＭＸｎのリレー回路に出力するようになっている。すなわち、ＯＲゲート２８、ＡＮＤゲート３０主検出閉路手段として構成されている。リレー接点ＭＸ１〜ＭＸｎは、ＡＮＤゲート３０から“１"レベルの信号が出力されたときにその接点を閉じ、主検出トリップ指令を出力するようになっている。すなわち、リレー接点ＭＸ１〜ＭＸｎは主検出トリップ指令出力手段として構成されている。
【００１９】
一方、故障検出ユニット１２のメモリ３２には、故障検出ユニット１２の動作を制御するためのプログラム（故障検出プログラム）が内蔵されている。補助故障検出回路３４は、電力系統の保護区間及び保護区間以外の電力系統で地絡故障等が発生したときに補助故障検出信号として“１"レベルの信号をＯＲゲート３８、４６に出力する補助故障検出信号出力手段として構成されている。故障検出点検起動回路３６は、メモリ３２に内蔵された故障検出プログラムの実行に伴って故障検出点検指令が出力されたときに、この故障検出点検指令により“１"レベルの故障検出点検起動信号をＯＲゲート３８、ＡＮＤゲート４０、タイマ４４に出力する故障検出点検起動信号出力手段として構成されている。ＯＲゲート３８は、補助故障検出回路３４または故障検出点検起動回路３６から“１"レベルの信号が出力されたときに、“１"レベルの信号を第２のリセット信号として主検出点検起動回路１８とＡＮＤゲート２２に出力し、主検出点検起動回路１８、ＡＮＤゲート２２から“１"レベルの信号が出力されるのを強制的に停止させるようになっている。すなわち、ＯＲゲート３８、ＡＮＤゲート２２は主検出リセット手段として構成されている。ＡＮＤゲート４０は、故障検出点検起動回路３６から“１"レベルの故障検出点検起動信号が入力されたときに、ＯＲゲート２０から“１"レベルの第１のリセット信号が入力されないことを条件に、“１"レベルの故障検出点検起動信号をタイマ４２に出力するようになっている。タイマ４２は、オンディレイタイマとして、ＡＮＤゲート４０から“１"レベルの信号が入力されたとき、第２の設定時間ｔ後に“１"レベルの信号を出力する故障検出点検起動信号遅延手段として構成されており、ｔ時間遅延された故障検出点検起動信号がＯＲゲート４６に入力されるようになっている。タイマ４４は、オフディレイタイマとして、故障検出点検起動回路３６から“１"レベルの故障検出点検起動信号が入力されたときに、“１"レベルの主検出点検ロック信号の出力を開始し、故障検出点検起動回路３６から“１"レベルの故障検出点検起動信号の出力が停止された後も、第２の設定時間ｔ'の間は、“１"レベルの主検出点検ロック信号をＡＮＤゲート３０に対して継続して出力する主検出点検ロック信号出力手段として構成されている。ＯＲゲート４６は、補助故障検出回路３４またはタイマ４２から“１"レベルの信号が入力されたときに、“１"レベルの信号をＡＮＤゲート４８に出力するようになっている。ＡＮＤゲート４８は、ＯＲゲート４６から“１"レベルの信号が入力されたときに、タイマ２６から“１"レベルの故障検出点検ロック信号が入力されないことを条件に、“１"レベルの故障検出閉路信号をリレー接点ＦＤＸ１〜ＦＤＸｎに出力するようになっている。すなわち、ＯＲゲート４６、ＡＮＤゲート４８は故障検出閉路手段として構成されている。
【００２０】
リレー接点ＦＤＸ１〜ＦＤＸｎは、ＡＮＤゲート４８から“１"レベルの故障検出閉路信号が出力されたときにその接点を閉じ、各リレー接点ＦＤＸ１〜ＦＤＸｎから故障検出トリップ指令を出力するようになっている。すなわち各リレー接点ＦＤＸ１〜ＦＤＸｎは故障検出トリップ指令出力手段として構成されている。さらに、リレー接点ＦＤＸ１〜ＦＤＸｎはリレー接点ＭＸ１〜ＭＸｎと互いに直列に接続されて各遮断器ＣＢ１〜ＣＢｎのトリップ回路に接続されている。各遮断器ＣＢ１〜ＣＢｎは、主検出トリップ指令と故障検出トリップ指令による論理、例えば、主検出トリップ指令と故障検出トリップ指令との論理積を条件に各遮断器ＣＢ１〜ＣＢｎをトリップするトリップ手段としてのトリップコイル等を内蔵しており、各遮断器ＣＢ１〜ＣＢｎは、各リレー接点ＭＸ１〜ＭＸｎ、ＦＤＸ１〜ＦＤＸｎの接点が閉じたときに保護区間の電力系統に属する母線あるいは送電線を開放するようになっている。
【００２１】
上記構成において、主検出点検指令及び故障検出点検指令が出力されていないときに、電力系統の保護区間で地絡故障等が生じ、主故障検出回路１６から“１"レベルの信号が出力されると、ＯＲゲート２８、ＡＮＤゲート３０の出力が“１"レベルとなり、リレー接点ＭＸ１〜ＭＸｎが閉じ、主検出トリップ指令が出力される。このとき、補助故障検出回路３４から“１"レベルの信号が出力されると、ＯＲゲート４６、ＡＮＤゲート４８から“１"レベルの信号が出力され、リレー接点ＦＤＸ１〜ＦＤＸｎが閉じ、故障検出トリップ指令が出力される。このとき遮断器ＣＢ１〜ＣＢｎのトリップ手段を駆動する論理積の条件が成立するため、各遮断器ＣＢ１〜ＣＢｎはトリップされ、電力系統の保護区間を地絡故障等から保護することができる。
【００２２】
次に、電力系統が正常状態にあるときに、主検出プログラムの起動により主検出点検指令が出力されると、主検出点検起動回路１８から“１"レベルの主検出点検起動信号が出力され、故障検出点検起動回路３６とタイマ３２がリセットされる。主検出点検起動信号が発生した後、ｔ時間経過すると、ＡＮＤゲート３０において、故障検出ユニット１２から“１"レベルの主検出点検ロック信号が入力されないことを条件に、“１"レベルの主検出閉路信号が各リレー接点ＭＸ１〜ＭＸｎに出力され、各リレー接点が閉じることにより、点検対象としての各リレー接点ＭＸ１〜ＭＸｎに対する自動点検を実行することができる。このとき、故障検出ユニット１２のＡＮＤゲート４８から故障検出閉路信号が出力されるのが阻止されているため、リレー接点ＭＸ１〜ＭＸｎに対する自動点検のみを行なうことができる。
【００２３】
次に、電力系統が正常状態にあるときに、故障検出ユニット１２の故障検出プログラムの起動に伴って故障検出点検指令が出力されると、故障検出点検起動回路３６から“１"レベルの故障検出点検起動信号が出力される。このとき、この故障検出点検起動信号により主検出ユニット１０の主検出点検起動回路１８とタイマ２４がリセットされる。そして故障検出点検起動信号が出力された後、ｔ時間経過すると、ＡＮＤゲート４８において、主検出ユニット１０から故障検出点検ロック信号が出力されないことを条件に、“１"レベルの故障検出閉路信号が各リレー接点ＦＤＸ１〜ＦＤＸｎに出力され、各リレー接点が閉じる。これにより、点検対象としてのリレー接点ＦＤＸ１〜ＦＤＸｎに対する自動点検を行なうことができる。このとき主検出点検起動回路１８とタイマ２４がリセットされてＡＮＤゲート３０から主検出閉路信号が出力されるのが阻止されているため、各リレー接点ＦＤＸ１〜ＦＤＸｎに対してのみ自動点検を行なうことができる。
【００２４】
次に、故障検出点検指令よりも主検出点検指令を優先させたときの動作を図２の（ｂ）に示すタイムチャートにしたがって説明する。まず、プログラムの起動により故障検出点検指令が出力された後、この故障検出点検指令が“１"レベルとなっている時間帯すなわち故障検出点検指令が出力された後、重複した時間帯に主検出点検指令が出力されると、故障検出点検指令よりも主検出点検指令による制御が優先されるため、故障検出点検起動信号が出力された後、重複した時間帯に主検出点検起動信号が出力されると、優先制御により、主点検起動信号により故障検出点検起動回路３６とタイマ４２がリセットされる。そして主検出点検起動信号が出力された後、ｔ時間後に、ＡＮＤゲート３０において、故障検出ユニット１２から主検出点検ロック信号が出力されないことを条件に、主検出閉路信号が出力され、リレー接点ＭＸ１〜ＭＸｎが閉じ、リレー接点ＭＸ１〜ＭＸｎに対する自動点検が行なわれる。すなわち故障検出点検起動信号と主検出点検起動信号が重複した時間帯で発生しても、主検出ユニット１０の制御が優先されるときには、リレー接点ＭＸ１〜ＭＸｎに対してのみ自動点検が実行されることになる。
【００２５】
また本実施形態においては、主検出ユニット１０により点検動作または故障検出ユニット１２による点検動作が終了した後は、この点検終了後からｔ'時間後も主検出ユニット１０による点検時にはタイマ２６からＡＮＤゲート４８に対して故障検出点検ロック信号が出力され、故障検出ユニット１２による点検時には、ＡＮＤゲート３０に対してタイマ４４から主検出点検ロック信号が出力されるため、各リレー接点ＭＸ１〜ＭＸｎまたはリレー接点ＦＤＸ１〜ＦＤＸｎが復帰動作するときでも、主検出トリップ指令と故障検出トリップ指令が同時に出力されるのを防止することができる。
【００２６】
前記実施形態において、各リレー接点ＭＸ１〜ＭＸｎに対する自動点検を高速に行なうに際しては、ＯＲゲート２０の出力信号をタイマ４４に与えてタイマ４４をＯＲゲート２０の出力信号によってクリアさせる構成を採用すれば、タイマ４４の復帰を待たずにリレー接点ＭＸ１〜ＭＸｎの点検を実行することができる。
【００２７】
本実施形態によれば、主検出点検指令と故障検出点検指令が誤って重複した時間帯で発生しても、一方のユニットの指令により他方のユニットの動作がリセットされるとともに、主検出点検起動信号または故障検出点検起動信号が出力された後、協調時間帯としてのｔ時間後に、他方のユニットからロック信号が出力されないことを条件としてのみ点検対象に対する自動点検を実行するようにしているため、主検出点検指令と故障検出点検指令が誤って重複した時間帯で発生しても、一方の点検対象に対してのみ確実に自動点検を実施することができる。
【００２８】
【発明の効果】
以上説明したように、本発明においては、主検出点検指令が出力されたときには、この指令に応答して主検出点検起動信号が出力され、この主検出点検起動信号により故障検出点検起動信号出力手段と故障検出点検起動信号遅延手段に対して第１のリセット信号が与えられて信号の出力が強制的に停止され、その後、故障検出点検起動信号の発生がないことを条件に主検出点検起動信号が主検出閉路信号として主検出トリップ指令出力手段に出力され、主出力トリップ指令出力手段に対する点検が行なわれ、一方、故障検出点検指令が出力されたときには、この故障検出点検指令により故障検出点検起動信号が出力され、この故障検出点検起動信号により主検出点検起動信号出力手段と主検出点検起動信号遅延手段に対して第２のリセット信号が与えられて信号の出力が強制的に停止され、その後、主検出点検起動信号の発生がないことを条件に、故障検出点検起動信号が故障検出閉路信号として故障検出トリップ指令出力手段に出力され、故障検出トリップ指令出力手段に対する点検が実施される。従って、本発明によれば、主検出点検指令と故障検出点検指令の発生時間帯が重複した場合でも、一方の起動信号の出力がリセットされるため、主検出トリップ指令出力手段と故障検出トリップ指令出力手段に対して同時に自動点検が行なわれるのを防止することができる。
【図面の簡単な説明】
【図１】本発明の一実施形態を示す保護継電装置の全体構成図である。
【図２】図１に示す装置の作用を説明するためのタイムチャートである。
【符号の説明】
１０  主検出ユニット
１２  故障検出ユニット
１４  メモリ
１６  主故障検出回路
１８  主検出点検起動回路
２０  ＯＲゲート
２２  ＡＮＤゲート
２４、２６  タイマ
２８  ＯＲゲート
３０  ＡＮＤゲート
３２  メモリ
３４  補助故障検出回路
３６  故障検出点検起動回路
３８  ＯＲゲート
４０  ＡＮＤゲート
４２、４４  タイマ
４６  ＯＲゲート
４８  ＡＮＤゲート
ＭＸ１〜ＭＸｎ、ＦＤＸ１〜ＦＤＸｎ  リレー接点
ＣＢ１〜ＣＢｎ  遮断器
【図１】
0003840630.tif 000002
【図２】
0003840630.tif 000003